(57)【特許請求の範囲】
【請求項１】
断熱箱体と、
この断熱箱体に形成されている開口と、
この開口の開口面を上側の第１開口面と下側の第２開口面とに上下に仕切る着脱自在なセンターピラーと、
第１開口面を開閉自在に閉塞する第１扉と、
第２開口面を開閉自在に閉塞する第２扉とを備え、
前記センターピラーには、突出部または、この突出部が係脱可能に嵌まるガイドの一方が設けられ、
前記断熱箱体には、前記突出部またはガイドの他方が設けられ、前記ガイドと突出部との係合に案内されて、前記センターピラーは斜め下方の奥側へ移動し、センターピラーの自重により安定して取り付けられることを特徴とする冷却貯蔵庫。
【請求項２】
断熱箱体の左右両内側面には各々取付板が固定され、
この取付板には、前記ガイドとしてのガイド溝が、奥側に行く程下側となる様に傾斜して形成され、
前記センターピラーの本体の両端面に、前記突出部が突出して設けられているとともに、センターピラー本体の前側には、ガスケット当接板が設けられ、
このガスケット当接板の左右両端は、センターピラー本体の端部よりも外側に突出して、前記突出部の庫外側を覆うとともに、センターピラーが断熱箱体に取り付けられた状態では、ガスケット当接板の両端部は、庫内側の面が取付板に当接し取付板で支持されることを特徴としている請求項１記載の冷却貯蔵庫。
【発明の詳細な説明】
【０００１】
【発明の属する技術分野】
本発明は、断熱箱体の開口をセンターピラーで仕切っている冷却貯蔵庫に関する。
【０００２】
【従来の技術】
従来の冷却貯蔵庫のセンターピラーを、図６を用いて説明する。図６は従来の冷却貯蔵庫の要部斜視図である。センターピラー０１は、断熱箱体０２にビス０３で固定されており、断熱箱体０２の開口の開口面を、上側の開口面と下側の開口面とに上下に仕切っている。上側の開口面は、上側の断熱扉が開閉自在に閉塞し、一方、下側の開口面は、下側の断熱扉が開閉自在に閉塞している。そして、上下の断熱扉が閉じている際には、上側の断熱扉の下縁のガスケットおよび下側の断熱扉の上縁のガスケットが各々、センターピラー０１に当接することにより、断熱扉の密封を確実なものとし、庫内の冷気が外部に漏れることを防止している。
【０００３】
なお、センターピラー０１で上下に仕切らずに、一枚の大きな断熱扉を開閉自在に設けると、断熱扉を開けた際に、開口面全体から冷気が多量に漏れ、庫内温度が上昇する。そのため、上述の様に、上下に断熱扉を設け、収納物を収納する際には、一方の断熱扉を開閉するとともに、他方の断熱扉は閉じたままにして、断熱扉を開けた際における開口面積を、略半分として小さくし、冷気の漏れを極力少なくしている。
【０００４】
【発明が解決しようとする課題】
ところで、この様に断熱箱体０２の開口を仕切っているセンターピラー０１が、ビス０３で固定されていると、センターピラー０１が妨げとなって、大きな物を断熱箱体０２の内部に収納することができない。また、収納作業の際に、ビス０３をドライバーなどの工具で外して、センターピラー０１を取り外し、物を収納した後に、再度、センターピラー０１をビス０３で取り付けることは、時間や労力が掛かり過ぎ、実務上殆ど不可能である。さらに、作業に長い時間を要するので、庫内からの冷気の漏れが非常に多くなる。
【０００５】
本発明は、以上のような課題を解決するためのもので、断熱箱体の開口をセンターピラーで仕切っているとともに、比較的大きなものを簡単に収納することができる冷却貯蔵庫を提供することを目的としている。
【０００６】
【課題を解決するための手段】
本発明の冷却貯蔵庫は、断熱箱体（１）と、この断熱箱体に形成されている開口（６）と、この開口の開口面を上側の第１開口面（６ａ）と下側の第２開口面（６ｂ）とに上下に仕切る着脱自在なセンターピラー（７）と、第１開口面を開閉自在に閉塞する第１扉（８）と、第２開口面を開閉自在に閉塞する第２扉（９）とを備えている。前記センターピラーには、突出部（２７）または、この突出部が係脱可能に嵌まるガイド（２１）の一方が設けられ、前記断熱箱体には、前記突出部またはガイドの他方が設けられ、前記ガイドと突出部との係合に案内されて、前記センターピラーは斜め下方の奥側へ移動し、センターピラーの自重により安定して取り付けられる。
【０００７】
また、断熱箱体の左右両内側面には各々取付板が固定され、この取付板には、前記ガイドとしてのガイド溝が、奥側に行く程下側となる様に傾斜して形成され、前記センターピラーの本体の両端面に、前記突出部が突出して設けられているとともに、センターピラー本体の前側には、ガスケット当接板が設けられ、このガスケット当接板の左右両端は、センターピラー本体の端部よりも外側に突出して、前記突出部の庫外側を覆うとともに、センターピラーが断熱箱体に取り付けられた状態では、ガスケット当接板の両端部は、庫内側の面が取付板に当接し取付板で支持される。
【０００８】
【発明の実施の形態】
次に、本発明における冷却貯蔵庫の実施の一形態を図１ないし図５を用いて説明する。図１は本発明にかかる冷却貯蔵庫の正面図である。図２は冷却貯蔵庫の断面図である。図３はセンターピラーおよびセンターピラー取付部の説明図で、（ａ）がセンターピラー取付部の斜視図、（ｂ）がセンターピラーの斜視図である。図４はセンターピラーおよびセンターピラー取付部の説明図で、（ａ）がセンターピラーの側面図、（ｂ）がセンターピラー取付部の側面図である。図５はセンターピラーの取り付け状態を説明するための図で、（ａ）がセンターピラーおよびセンターピラー取付部の一部切欠き断面図、（ｂ）がプランジャーの断面図である。
【０００９】
冷却貯蔵庫である縦型超低温冷凍庫の本体は、断熱箱体１で構成され、この断熱箱体１の内部空間すなわち庫内２には、棚（トレイ）３が複数多段に設けられているとともに、図示しない冷却器により冷却されている。また、断熱箱体１の前面には、開口６が形成され、この開口６の開口面は、着脱自在なセンターピラー７で上下に仕切られ、第１開口面としての上側の開口面６ａと、第２開口面としての下側の開口面６ｂとが形成されている。なお、センターピラー７の詳細は後述する。そして、上側の開口面６ａは、第１扉としての上側の内扉８で、また、下側の開口面６ｂは、第２扉としての下側の内扉９で開閉自在に閉塞されている。この内扉８，９の庫内２側の面の周縁部には、略全周にわたってガスケット１１，１２が取り付けられている。内扉８，９の庫外側には、外扉１３が開閉自在に設けられ、内扉８，９および外扉１３が閉じている状態では、外扉１３が内扉８，９を覆っている。この外扉１３の庫内側の面の周縁部には、略全周にわたってガスケット１４が取り付けられている。そして、内扉８，９および外扉１３は、断熱扉であり、庫外からの熱が庫内２に侵入することを極力阻止している。
【００１０】
次に、センターピラー７の取付構造について説明する。断熱箱体１の庫内２における左右両内側面２ａ，２ｂには各々、センターピラー取付部としての取付板１６がビス１７で固定されている。この取付板１６には、ガイドとしてのガイド溝２１が、奥側に行く程下側となる様に傾斜して形成され、このガイド溝２１の手前側の端部は、突出部挿入口としてのシャフト挿入口２２となっている。また、ガイド溝２１を挟んで上下に、各々嵌合部としての凹部２３が形成されている。この様に、断熱箱体１に取付板１６を取り付けることにより、断熱箱体１にガイド溝２１および凹部２３が設けられている。
【００１１】
一方、この取付板１６を介して断熱箱体１に取り付けられるセンターピラー７は、センターピラー本体２６の両端面に、突出部としての円柱状のシャフト２７が突出して設けられ、このシャフト２７の上下に各々、プランジャー３１が設けられている。このプランジャー３１は、図５（ｂ）に図示する様に、有底の円筒状のシリンダー３２と、このシリンダー３２内に配置されている付勢手段としてのコイルバネ３３と、シリンダー３２の先端から出没するピン３４とからなっている。また、センターピラー本体２６の前側すなわち庫外側には、ガスケット当接部としてのガスケット当接板３６が設けられている。このガスケット当接板３６の左右両端は、センターピラー本体２６の端部よりも外側に突出しており、シャフト２７およびプランジャー３１の庫外側を覆っている。このガスケット当接板３６の前面すなわち庫外側の面に、上側の内扉８の下縁のガスケット１１ａおよび下側の内扉９の上縁のガスケット１２ａが当接する。そして、センターピラー７を取付板１６すなわち断熱箱体１に取り付けた状態では、ガスケット当接板３６の両端部は、庫内２側の面が取付板１６に当接し、取付板１６で支持されている。また、シャフト２７がガイド溝２１に嵌まるとともに、ピン３４が凹部２３に係合している。
【００１２】
この様に構成されている超低温冷凍庫において、比較的小さな貯蔵品を庫内２に収納する際には、上側の内扉８または下側の内扉９の何れかの扉を開閉して、収納作業を行う。
【００１３】
一方、比較的大きな貯蔵品を庫内２に収納する際には、センターピラー７を斜め上側に引き上げながら手前側に引っ張る。すると、センターピラー７のプランジャー３１のピン３４は、コイルバネ３３の付勢力に抗して、シリンダー３２内に押し込まれ、センターピラー７は移動する。そして、センターピラー７のシャフト２７が、ガイド溝２１に案内されながら移動し、ガイド溝２１のシャフト挿入口２２からガイド溝２１の外に外れ、センターピラー７が取付板１６から取り外される。
【００１４】
その後、貯蔵品を断熱箱体１の開口６から庫内２に収納する。貯蔵品の収納後、取り外されていたセンターピラー７のシャフト２７をシャフト挿入口２２からガイド溝２１に嵌め込み、斜め下方の奥側へ移動させて、センターピラー７を取付板１６に取り付ける。そして、センターピラー７のプランジャー３１のピン３４は、取付板１６の凹部２３の位置に移動すると、コイルバネ３３の付勢力により突出して凹部２３に係合し、センターピラー７を位置決め保持する。また、ガスケット当接板３６の両端部は、取付板１６の前面に当接する。
【００１５】
ついで、内扉８，９を閉じて、上側の内扉８の下縁のガスケット１１ａおよび下側の内扉９の上縁のガスケット１２ａを、センターピラー７の前面であるガスケット当接板３６に当接させるとともに、内扉８，９のガスケット１１，１２の他の部分を断熱箱体１の前面に当接させて、密封（シール）する。そして、外扉１３を閉じて、外扉１３のガスケット１４を断熱箱体１の前面に当接させて密封する。この様にして、外扉１３および内扉８，９の二重の扉で断熱し、庫内２の温度を極力低く、たとえば、−８６℃以下に維持している。
【００１６】
前述の様に、この実施の形態においては、ガイド溝２１および凹部２３などは、取付板１６に形成されているので、断熱箱体１自体を改造することなく、断熱箱体１に取付板１６を固定することにより、センターピラー７を着脱可能とすることができる。したがって、既存の超低温冷凍庫にも簡単に採用することができる。
【００１７】
また、ガイド（ガイド溝２１）は、奥側へ行くほど下側となる様に傾斜して形成されており、センターピラー７は自重により安定して取り付けられている。したがって、プランジャー３１と凹部２３との係合と相まって、センターピラー７が不用意に外れることは少なくなる。
【００１８】
さらに、プランジャー３１と凹部２３との係合部分、および、シャフト２７とガイド溝２１との係合部分は、手前側がセンターピラー７の覆い部（ガスケット当接板３６の端部）で覆われているので、ガスケット１１，１２は、断熱箱体１とセンターピラー７（すなわちガスケット当接板３６）との接続部分で、途切れずに略連続的に当接することができる。したがって、プランジャー３１と凹部２３との係合部分、および、シャフト２７とガイド溝２１との係合部分から、冷気が漏れることを極力防止することができる。
【００１９】
そして、プランジャー３１および凹部２３は各々２個設けられ、ガイド溝２１やシャフト２７を挟んで両側に配置されている。したがって、比較的大きな間隔を有している２か所で嵌合することができ、センターピラー７を安定して保持することができる。
【００２０】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）冷却貯蔵庫は、超低温冷凍庫以外の他の形式の冷却貯蔵庫でも可能である。たとえば、冷凍冷蔵庫や冷蔵庫などでも可能である。また、二重扉構造ではなく、一重扉構造でも可能である。
【００２１】
（２）ガイドは、ガイド溝２１以外の構造でも可能で、たとえば、切欠きでも可能である。
（３）取付板１６の嵌合部（凹部２３）の配置や数量などは、適宜変更可能である。たとえば、嵌合部を１個とすることもできる。また、ガイド（ガイド溝２１）や嵌合部などは、断熱箱体１に直接形成することも可能である。さらに、嵌合部は凹部２３であるが、孔でも可能である。
【００２２】
（４）センターピラーを複数本設けることも可能である。
（５）ピン３４を付勢する付勢手段は、コイルバネ３３以外の形式のバネでも可能である。また、ゴムなどの弾性体でも可能である。さらに、ピン３４自体を弾性体で形成することも可能である。
【００２３】
（６）前記実施の形態においては、センターピラー７にプランジャー３１やシャフト２７が、一方、断熱箱体１に凹部２３やガイド溝２１が設けられているが、逆にすることも可能である。たとえば、センターピラー７に凹部２３を、一方、断熱箱体１にプランジャー３１を設けることも可能である。
【００２４】
【発明の効果】
本発明によれば、断熱箱体の開口の開口面を、センターピラーが第１開口面と第２開口面とに仕切り、この第１開口面を第１扉が、また、第２開口面を第２扉が、開閉自在に閉塞している。したがって、小さな貯蔵物を収納する際には、第１扉または第２扉の一方を開けて収納することができる。そして、このセンターピラーは着脱自在であるので、大きな貯蔵物を収納する際には、センターピラーを取り外して、第１扉および第２扉の両扉を開けて収納することができる。しかも、ガイドと突出部との係合に案内されて、センターピラーは斜め下方の奥側へ移動し、センターピラーの自重により安定して取り付けられており、センターピラーが不用意に外れることを減少させることができる。
【００２５】
また、断熱箱体の左右両内側面には各々取付板が固定され、この取付板には、前記ガイドとしてのガイド溝が、奥側に行く程下側となる様に傾斜して形成され、センターピラーの本体の両端面に、突出部が突出して設けられているとともに、センターピラー本体の前側には、ガスケット当接板が設けられ、このガスケット当接板の左右両端は、センターピラー本体の端部よりも外側に突出して、突出部の庫外側を覆うとともに、センターピラーが断熱箱体に取り付けられた状態では、ガスケット当接板の両端部は、庫内側の面が取付板に当接し取付板で支持されている場合には、ガイド溝が取付板に形成されているので、断熱箱体自体を改造することなく、断熱箱体に取付板を固定することにより、センターピラーを着脱可能とすることができる。したがって、既存の冷却貯蔵庫にも簡単に採用することができる。しかも、突出部とガイド溝との係合部分は、手前側がセンターピラーのガスケット当接板の端部で覆われるので、庫内の冷気が漏れることを極力防止することができる。
【図面の簡単な説明】
【図１】  図１は本発明にかかる冷却貯蔵庫の正面図である。
【図２】  図２は冷却貯蔵庫の断面図である。
【図３】  図３はセンターピラーおよびセンターピラー取付部の説明図で、（ａ）がセンターピラー取付部の斜視図、（ｂ）がセンターピラーの斜視図である。
【図４】  図４はセンターピラーおよびセンターピラー取付部の説明図で、（ａ）がセンターピラーの側面図、（ｂ）がセンターピラー取付部の側面図である。
【図５】  図５はセンターピラーの取り付け状態を説明するための図で、（ａ）がセンターピラーおよびセンターピラー取付部の一部切欠き断面図、（ｂ）がプランジャーの断面図である。
【図６】  図６は従来の冷却貯蔵庫の要部斜視図である。
【符号の説明】
１  断熱箱体
６  断熱箱体の開口
６ａ  上側の開口面（第１開口面）
６ｂ  下側の開口面（第２開口面）
７  センターピラー
８  上側の内扉（第１扉）
９  下側の内扉（第２扉）
２１  ガイド溝（ガイド）
２７  シャフト（突出部）
２３  凹部（嵌合部）
３４  ピン
【図１】
0003679625.tif 000002
【図２】
0003679625.tif 000003
【図３】
0003679625.tif 000004
【図４】
0003679625.tif 000005
【図５】
0003679625.tif 000006
【図６】
0003679625.tif 000007